(57)【特許請求の範囲】
【請求項１】
スマートカード読取装置及び同調器を備えるプリント回路板を有するアドオンカードを具備するパーソナルコンピュータであって、該スマートカード読取装置が該アドオンカードの取付用ブラケット内のスロットを介してアクセス可能とされているパーソナルコンピュータにおいて、前記同調器が該取付用ブラケットの直後方に配置され、前記スマートカード読取装置が前記同調器の隣に配置され、前記同調器及び前記スマートカード読取装置の幅の総和が前記プリント回路板の幅よりも狭く、前記スマートカード読取装置は前記同調器と電気的に結合されているパーソナルコンピュータ。
【請求項２】
請求項１に記載のパーソナルコンピュータにおいて、前記スマートカード読取装置がID-000のタイプのスマートカードを読み取るように配されていることを特徴とするパーソナルコンピュータ。
【請求項３】
請求項１又は２に記載のパーソナルコンピュータにおいて、RFコネクタが前記同調器を介して取り付けられ、該RFコネクタが前記ブラケット内の開口部を介して突出していることを特徴とするパーソナルコンピュータ。
【請求項４】
請求項１から３のいずれかの請求項に記載のパーソナルコンピュータにおいて、前記スマートカード読取装置が前記スマートカードから条件アクセス情報を読み取るように配され、前記パーソナルコンピュータ用アドオンカードが前記スマートカードから読み取られた前記条件アクセス情報が或る資格基準を満たす場合のみ一定のサービスを提供するように配されていることを特徴とするパーソナルコンピュータ。
【請求項５】
スマートカード読取装置及び同調器を備えるプリント回路板を有するパーソナルコンピュータ用アドオンカードであって、該スマートカード読取装置が該アドオンカードの取付用ブラケット内のスロットを介してアクセス可能とされているパーソナルコンピュータ用アドオンカードにおいて、前記同調器が該取付用ブラケットの直後方に配置され、前記スマートカード読取装置が該同調器の隣に配置され、前記同調器及び前記スマートカード読取装置の幅の総和が前記プリント回路板の幅よりも狭く、前記スマートカード読取装置は前記同調器と電気的に結合されているパーソナルコンピュータ用アドオンカード。
【請求項６】
請求項５に記載のパーソナルコンピュータ用アドオンカードにおいて、前記スマートカード読取装置がID-000のタイプのスマートカードを読み取るために配されていることを特徴とするパーソナルコンピュータ用アドオンカード。
【請求項７】
請求項５又は６に記載のパーソナルコンピュータ用アドオンカードにおいて、RFコネクタが前記同調器に取り付けられ、該RFコネクタが前記ブラケット内の開口部を介して突出していることを特徴とするパーソナルコンピュータ用アドオンカード。
【請求項８】
請求項５から７のいずれかの請求項に記載のパーソナルコンピュータ用アドオンカードにおいて、前記スマートカード読取装置が前記スマートカードから条件アクセス情報を読み取るように配され、前記パーソナルコンピュータ用アドオンカードが、前記スマートカードから読み取られた前記条件アクセス情報が或る資格基準を満たす場合のみ一定のサービスを提供するように配されていることを特徴とするパーソナルコンピュータ用アドオンカード。
【発明の詳細な説明】
技術分野
本発明は、スマートカード読取装置及び同調器を具備するプリント回路板を持つアドオンカードを備えるパーソナルコンピュータであって、該スマートカード読取装置が該アドオンカードの取付用のブラケット内のスロットを介してアクセス可能とされているパーソナルコンピュータに関する。
本発明はまた、パーソナルコンピュータ用アドオンカードに関する。
背景技術
冒頭のパーソナルコンピュータ及びアドオンカードは、コムストリーム（ＣｏｍＳｔｒｅａｍ）による“ＤＶＢ  ＳＣＰＣ／ＭＣＰＣ  サテライト・レシーバ・カード（Ｓａｔｅｌｌｉｔｅ  Ｒｅｃｅｉｖｅｒ  Ｃａｒｄ）”のパンフレットにより既知である。
このようなパーソナルコンピュータ及びアドオンカードは、パーソナルコンピュータによって、人工衛星又はＣＡＴＶネットワークからのデジタルＴＶ信号又はデータ信号の受信を可能にするために使用される。当該使用のために、前記アドオンカードはＴＶ及び／又はデータ信号が変調されて乗っている、異なる搬送波に同調するための同調器を有している。
さらに、スマートカード読取装置が、しばしばこのようなアドオンカード上で使われている。このスマートカード読取装置は、契約に基づいたサービス又は使用に際し金銭を支払うサービスの場合における、条件アクセスシステムにおいて使用可能である。スマートカード読取装置はまた、電子バンキングサービスと共に使用可能である。該電子バンキングサービスでは個人のＩＤコードのような詳細な事項は、スマートカード上で暗号化された形式で記憶されている。既知のパーソナルコンピュータでは、該スマートカードは、該パーソナルコンピュータ内の前記アドオンカードを取り付けるのに使用される、ブラケット内のスロットを通して前記スマートカード読取装置の中へ挿入される必要がある。このスロットはＰＣ（パーソナルコンピュータ）の後部においてアクセス可能である。
該スマートカード読取装置の固定されたサイズ及び該アドオンカードの限定された幅によれば、前記同調器を該スマートカードの後方に配置する必要がある。この配置では該ブラケット上に配置されるＲＦコネクタと該同調器の入力部との間の相互接続を要する。該相互接続はさらなるＲＦ信号の損失を導き、かつ製造コストを上げる。
発明の開示
本発明の目的は、冒頭のパーソナルコンピュータであって、上記問題を解決するパーソナルコンピュータを提供することにある。
上記目的を達成するために、本発明による当該パーソナルコンピュータは、同調器を取付用ブラケットの直後方に配置し、スマートカード読取装置を該同調器の隣に配置し、該同調器と該スマートカードとの幅の総和をプリント回路板の幅よりも狭くしたことを特徴とする。
縮小寸法のスマートカードのための、縮小寸法の読取装置を使用することによって、前記同調器を前記ブラケットの直後方に配置可能とし、該スマートカード読取装置を前記同調器の隣に配置することを可能にする。この結果、該ブラケット上のコネクタと該同調器の入力部の間の相互接続を省くことができる。縮小寸法のスマートカードを使用するさらなる利点は、前記アドオンカードが取り付けられたＰＣが移動されたときの、該スマートカードの破損の可能性を減じることである。従来技術によるアドオンカードでは、スマートカードが該アドオンカードの外側で比較的突出しており、スマートカードをより傷付け易くさせている。
本発明の実施形態は、前記スマートカード読取装置がＩＤ−０００タイプのスマートカードを読み取るために配されていることを特徴としている。
該ＩＤ−０００タイプのスマートカードは、例えばＧＳＭ規格に準拠して動作されるセルラー電話端末におけるＳＩＭ（加入者同定モジュール）で専ら現在使用されている。これらのスマートカードは２５ｍｍ×１５ｍｍの寸法を有している。
本発明のさらなる実施形態は、ＲＦコネクタが同調器上に配置され、該ＲＦコネクタが前記ブラケットの開口部を介して突き出ていることを特徴とする。
該ＲＦコネクタを該同調器上に配置し、及び該ブラケットの開口部を介して該ＲＦコネクタを配することによって、該同調器の簡易かつ安価な取り付け及び接続方法が得られる。
本発明の上述及び他の特徴は、図を参照して以下に詳細に説明される。
【図面の簡単な説明】
第１図は、従来技術によるアドオンカードを示す。
第２図は、本発明によるアドオンカードを示す。
第３図は、本発明によるパーソナルコンピュータの背面図を示す。
第４図は、前記ＤＶＢの放送規格での使用を意図したＰＣアドオンカードのブロック図を示す。
発明を実施するための最良の形態
第１図による従来技術のアドオンカードは、同調器１２、カード読取装置１０、処理手段１４、１６、及びＰＣＩインタフェイスが配置されているプリント回路板２を有している。受信されるディジタルビデオ又はデータ信号を搬送するＲＦ信号は、該プリント回路板２にアタッチされる取付用ブラケット４上のＲＦコネクタ６へ施与される。該ＲＦコネクタ６はケーブル８を介して同調器１２へ接続される。
前記処理手段１４、１６が、該同調器１２の出力部で有効なＩＦ信号から、所望のディジタル信号を得るために配されている。前記カード読取装置１０はまた、前記スマートカード１１からの条件アクセス情報を読み取るための該処理手段１６へ接続されている。該処理手段１６により得られたディジタル信号は、パーソナルコンピュータにあるＰＣＩバスへの接続のためのコネクタ２へ適正なデータ及び制御信号を供給する目的で配されている前記ＰＣＩインタフェイス１８へ、と渡される。
第１図から理解されるように、前記スマートカード読取装置１０の幅は、該スマートカード読取装置の隣に、ほとんど他の構成要素が配置できない、特に同調器１２は配置できない幅である。結果として、該同調器をスマートカードの後方に配置させなければならず、ケーブル８が、前記ブラケット４上の前記コネクタ６を該同調器１２へ接続するために必要とされる。該ケーブル８の使用は、結果として余分な信号の損失を招き、かつ前記アドオンカードのコストを増大させる。
第２図のアドオンカードはプリント回路板２を有しており、該プリント回路板２には、前記同調器１２がブラケット４の直後方の、縮小された寸法のスマートカード読取装置２０の隣に取付けられている。このことは、通常の寸法のスマートカード及び関連する読取装置を使用する代わりに、ＩＤ−０００タイプの小さなスマートカードが使用されるので可能である。前記同調器が前記ブラケット４の直後方に配置されているので、コネクタ６と前記同調器１２との相互接続用ケーブルを省くことが可能である。
好適には、該コネクタ６は同調器１２と一体化される。コネクタ６を同調器６と一体化することによって、前記アドオンカードのアセンブリがより簡単になる。
第３図のパーソナルコンピュータ９において、本発明によるアドオンカード１３はパーソナルコンピュータのメインボード上のＰＣＩスロット中に配置されている。スロット１７が縮小された寸法のスマートカードを受け入れるために存在している。ＣＡＴＶシステム又は放送用人工衛星からの信号がＲＦコネクタ６へ施与されうる。
第４図のアドオンカードにおいて、ＲＦ入力信号がレシーバモジュール２２へ施与される。該レシーバモジュール２２において、該ＲＦ入力信号が同調器２４に接続されており、該同調器２４はマイクロコントローラ３６から受信した制御用信号の制御下、所望の周波数へ同調するために配されている。
該同調器２４のＩＦ出力部はＱＰＳＫ復調器２６の入力部へ接続されている。該ＱＰＳＫ復調器２６は前記同調器２４から受信したＩＦ信号を復調し、かつ第一出力部へ、復調によって得られたデジタル記号を供給する。該ＱＰＳＫ復調器２６の該第一出力部は誤り訂正回路２８へ接続されている。該ＱＰＳＫ復調器２６の第２の出力部は、ＡＧＣ（自動利得制御）及びＡＦＣ（自動周波数制御）の信号を送りながら、前記同調器２４へ接続されている。該ＡＧＣ信号は、前記ＱＰＳＫ復調器の入力レベルが所定値を持つように前記同調器の利得（ゲイン）を制御するために使用される。該ＡＦＣ信号は、前記ＱＰＳＫ復調器２６において検出される周波数オフセットを除去するために前記同調器２４において局部発信器を制御するために使用される。前記誤り訂正回路２８は、伝達の誤りを検出かつ訂正し、及び仮想的に誤りのないシンボルをその出力部へ供給する。該誤り訂正回路２８の出力部は、前記レシーバモジュール２２の出力部へ接続されている。該レシーバモジュール２２の出力部は処理モジュール３０の入力部へ接続されている。該処理モジュール３０において、前記レシーバモジュールの出力信号は解読器（descrambler）３２の入力部へ接続されている。該解読器３２は、条件アクセスユニット（conditional access unit）３８から受けた情報に依存して前記レシーバモジュールから受けた信号を解読する。該条件アクセスユニット３８は、前記スマートカードからの前記条件アクセス情報を読み取り、及び該スマートカードから読み取られた情報が当該ユーザが前記レシーバモジュール２２の出力信号により送られる情報を受け取る資格を有する者であることを示す場合に前記解読器へ解読された情報を供給する。
前記解読器３２の出力部はデマルチプレクサ３４の入力部へ接続されている。該デマルチプレクサは該解読器３２の出力信号から選択されたストリームを抽出する。この選択されたストリームはPCIブリッジ４６へと渡される。そして、該PCIブリッジ４６は、該選択されたストリームをPCIバス上に設定されうるフォーマットへと変換する。
該PCIブリッジ４６はまた、マイクロコントローラ３６へ接続されており、該マイクロコントローラ３６は、前記PCIブリッジから受け取った指示に呼応して、前記レシーバモジュール２２、前記解読器３２、前記デマルチプレクサ３４、及び前記条件アクセスユニット３８を制御するために配されている。当該制御のために、該マイクロコントローラ３６はまた、ＲＡＭ４０、ＲＯＭ４２、及び不揮発性ランダムアクセスメモリ４４を備えている。
【図１】
0004278718.tif 000002
【図２】
0004278718.tif 000003
【図３】
0004278718.tif 000004
【図４】
0004278718.tif 000005